(57)【要約】【課題】  感光紙において外部光等の光被り等による不要部分の処理を迅速に行うことのできる画像記録装置を提供する。【解決手段】  この画像記録装置は、カートリッジに収容された感光紙をその先端部分から引き出してドラム１０に給送する給送手段と、感光紙をドラムの外面に巻き付けてドラムの内部から吸引吸着し、ドラムを回転しながら感光紙に対し画像データに基づいて露光し画像記録を行う露光手段と、露光した感光紙をドラムから剥離するための剥離手段１５と、剥離された感光紙を更に搬送する搬送手段と、給送手段、露光手段、剥離手段及び搬送手段を制御するための制御手段と、感光紙を廃棄するために装置内の下部に配置された廃棄部６１と、を備え、制御手段は、給送手段が感光紙の不要部分Ｓ１を給送したとき、不要部分をドラム１０に巻き付けずに廃棄部に廃棄するように制御する。【選択図】  図５
2005067833.tif 000002
【特許請求の範囲】
【請求項１】
カートリッジに収容された銀塩感光材料をその先端部分から引き出してドラムに給送する給送手段と、
前記銀塩感光材料を前記ドラムの外面に巻き付けて前記ドラムの内部から吸引吸着し、前記ドラムを回転しながら前記銀塩感光材料に対し画像データに基づいて露光し画像記録を行う露光手段と、
前記露光した銀塩感光材料を前記ドラムから剥離するための剥離手段と、
前記剥離された銀塩感光材料を更に搬送する搬送手段と、
前記給送手段、前記露光手段、前記剥離手段及び前記搬送手段を制御するための制御手段と、
前記銀塩感光材料を廃棄するために装置内の下部に配置された廃棄部と、を備え、
前記制御手段は、前記給送手段が前記銀塩感光材料の不要部分を給送したとき、前記不要部分を前記ドラムに巻き付けずに前記廃棄部に廃棄するように制御することを特徴とする画像記録装置。
【請求項２】
前記給送手段は、前記銀塩感光材料の先端部から前記不要部分の長さを測定する測定部と、前記銀塩感光材料を前記測定した長さに切断するカッタ部と、を備えることを特徴とする請求項１に記載の画像記録装置。
【請求項３】
前記廃棄部は前記剥離手段と前記搬送手段との間の下方に設けられたことを特徴とする請求項１または２に記載の画像記録装置。
【請求項４】
前記搬送手段は、前記剥離された銀塩感光材料を下流方向に案内するガイド部材と、前記ガイド部材の下流側に配置され前記銀塩感光材料を搬送する搬送ローラ対と、前記銀塩感光材料をアキュームするために前記ガイド部材を回動させる回動手段と、を備え、
前記銀塩感光材料の不要部分がドラムに給送されたとき、前記制御手段は、前記露光手段を作動させず、前記剥離手段を剥離位置に移動させ、前記ガイド部材をアキューム位置に回動させるように制御し、前記不要部分を前記廃棄部に向け自重で落下させることを特徴とする請求項１，２または３に記載の画像記録装置。
【発明の詳細な説明】
【技術分野】
【０００１】
本発明は、銀塩感光材料をドラムに給送しドラムの外面に巻き付けて吸着し、ドラムを回転しながら銀塩感光材料に露光して画像記録を行う画像記録装置に関するものである。
【背景技術】
【０００２】
従来、カートリッジを装置に装填し、カートリッジ内に収容された感光紙を引き出して給送し、その感光紙をドラム外面に巻き付けてドラム内部の真空吸引により保持した状態でドラムを回転させながら感光紙に画像を記録した後、ドラム外面に保持された感光紙を剥離部材で剥離し、現像のための次工程に搬送するようにした画像記録装置が公知である（例えば、下記特許文献１，２参照）。
【０００３】
かかる画像記録装置にカートリッジを装着する際には、感光紙を装置内に給送するため感光紙の先端部分をカートリッジから引き出す必要があるが、この引き出された部分は外部光に露出され光被りを起こす。また、装置内で比較的長時間引き出されたまま未使用状態が継続すると、この引き出された部分はカートリッジ内部の感光紙と比較して外部光による光被りが大きい。このような感光紙の光被り部分は、現像後には大幅な画質の劣化を伴うと同時に現像液自体の劣化をも引き起こしてしまい易い。
【０００４】
従来の画像記録装置は、感光紙の状態に関わらず、ドラムに対し給紙した感光紙に関しては必ずドラムに巻き付けた後、剥離し排紙していた。しかし、上述のように、感光紙の先端部分等において外部光により光被りした不要の部分でも必ずドラムに巻き付けるので、その巻き付けの時間が無駄となる。また、感光紙の剥離などにおいてジャム等のエラーを誘発し易くなり、安定した画像記録の支障となり易い。
【特許文献１】特開２００２−１２０４２２公報
【特許文献２】特開２００２−１４４２８公報
【発明の開示】
【発明が解決しようとする課題】
【０００５】
本発明は、上述のような従来技術の問題に鑑み、感光紙において外部光等の光被り等による不要部分の処理を迅速に行うことのできる画像記録装置を提供することを目的とする。また、感光紙の不要部分のドラムの巻き付け動作におけるジャムなどのエラー発生を防止でき安定して動作できる画像記録装置を提供することを目的とする。
【課題を解決するための手段】
【０００６】
上記目的を達成するために、本発明による画像記録装置は、カートリッジに収容された銀塩感光材料をその先端部分から引き出してドラムに給送する給送手段と、前記銀塩感光材料を前記ドラムの外面に巻き付けて前記ドラムの内部から吸引吸着し、前記ドラムを回転しながら前記銀塩感光材料に対し画像データに基づいて露光し画像記録を行う露光手段と、前記露光した銀塩感光材料を前記ドラムから剥離するための剥離手段と、前記剥離された銀塩感光材料を更に搬送する搬送手段と、前記給送手段、前記露光手段、前記剥離手段及び前記搬送手段を制御するための制御手段と、前記銀塩感光材料を廃棄するために装置内の下部に配置された廃棄部と、を備え、前記制御手段は、前記給送手段が前記銀塩感光材料の不要部分を給送したとき、前記不要部分を前記ドラムに巻き付けずに前記廃棄部に廃棄するように制御することを特徴とする。
【０００７】
この画像記録装置によれば、銀塩感光材料において外部光等の光被り等により生じた不要部分をドラムに巻き付けずに装置内部の廃棄部に廃棄するように処理を行うので、不要部分の処理を迅速に行うことができる。また、感光紙の不要部分を吸着でドラムに巻き付ける動作が不要であるので、ジャムなどのエラー発生を防止でき安定して動作できる。
【０００８】
上記画像記録装置において、前記給送手段は、前記銀塩感光材料の前記先端部から前記不要部分の長さを測定する測定部と、前記銀塩感光材料を前記測定した長さに切断するカッタ部と、を備えることが好ましい。カートリッジ内から引き出される銀塩感光材料の先端部分は光被りが生じている可能性が高いので、不要部分として所定長さ分に切断してから、上述のように装置内部の廃棄部に廃棄することができる。なお、露光を中断等した場合の不要部分も巻き付けを中止してから同様にして装置内部の廃棄部に廃棄することができる。
【０００９】
また、前記廃棄部は前記剥離手段と前記搬送手段との間の下方に設けられることが好ましい。
【００１０】
また、前記搬送手段は、前記剥離された銀塩感光材料を下流方向に案内するガイド部材と、前記ガイド部材の下流側に配置され前記銀塩感光材料を搬送する搬送ローラ対と、前記銀塩感光材料をアキュームするために前記ガイド部材を回動させる回動手段と、を備え、前記銀塩感光材料の不要部分がドラムに給送されたとき、前記制御手段は、前記露光手段を作動させず、前記剥離手段を剥離位置に移動させ、前記ガイド部材をアキューム位置に回動させるように制御し、前記不要部分を前記廃棄部に向け自重で落下させるように構成できる。
【発明の効果】
【００１１】
本発明の画像記録装置によれば、銀塩感光材料において外部光等の光被り等による不要部分の処理を迅速に行うことができるとともに、不要部分のドラムの巻き付け動作におけるジャムなどのエラー発生を防止でき安定して動作できる。
【発明を実施するための最良の形態】
【００１２】
以下、本発明を実施するための最良の形態について図面を用いて説明する。図１は本実施の形態による画像記録装置全体の外観を示す斜視図である。図２は図１の画像記録装置の内部を正面側から見た図である。図３は図２の画像記録装置のドラム及び光学ユニットを上部から見た要部平面図である。
【００１３】
図１、図２に示すように、本実施の形態による画像記録装置１は、印刷出力対象の絵柄、色調、文章、文字等の確認を行うためのカラープルーフ（校正用サンプル）を作成するものであって、銀塩カラー感光材料（以下、単に「感光材料」ともいう。）に露光し画像を形成する露光ユニット１１と、露光された感光材料を現像する現像ユニット２１と、を備える。
【００１４】
露光ユニット１１は、前面からメンテナンスできるように開閉可能な前面パネル５と、各種情報の表示とタッチパネルからなり装置全体の操作のために入力可能な表示入力部２と、内部にロール状の銀塩カラー感光材料である感光紙を収容したカートリッジ１３を給紙カバー３，４の開放後に装填可能な装填部１２，１２’と、を備える。図１では装填部１２，１２’にカートリッジ１３を装填する前、装填した後の状態を示している。
【００１５】
現像ユニット２１は、メンテナンスのために開閉可能な上面パネル６と、前面には、現像処理液等の補充等のために開閉可能に設けられた補給パネル７と、を備える。
【００１６】
図２に示すように、画像記録装置１の露光ユニット１１は、内部にロール状に巻かれた感光紙を収納した専用のカートリッジ１３を装填し収容する装填部１２，１２’と、装填部１２，１２’に装填されたカートリッジ１３から感光紙を給送する搬送ローラ対４０，４１，４２等からなる給送部１４と、給送部１４から給送された感光紙Ｓを外周面に真空吸引し保持しながら主走査のために回転方向Ｒに回転するドラム１０と、ドラム１０上の感光紙に対しＬＥＤ光等の光ビームを露光する光学ユニット１６と、光学ユニット１６を副走査のために副走査方向（図１の紙面垂直方向）Ｈ（図３）に搬送する副走査部１７と、画像記録後のドラム１０上の感光紙を剥離する剥離部材１５と、を備える。露光後の感光紙は出口１９及び接続部１９ａを通して現像ユニット２１へと搬送される。
【００１７】
図２の画像記録装置１は、更に、搬送ローラ対４２の下流側に配置されドラム１０に向けて送られる感光紙の搬送に従い従動回転し感光紙をドラム１０との間で搬送する従動ローラ３１と、ドラム１０上から剥離部材１５で剥離された感光紙をドラム１０と従動ローラ３１とで搬送するときに感光紙をガイドするアキュームガイド部材１８と、アキュームガイド部材１８で送られてきた感光紙を出口１９へと更に搬送する搬送ローラ対３２と、搬送ローラ対３２に達した感光紙をアキュームするためにアキュームガイド部材１８の一部が開放されることで形成されるアキュームレート部３０と、搬送ローラ対３２の下流側近傍に配置された感光紙の先端を検出する検出センサ３３と、を備える。
【００１８】
また、装填部１２，１２’の下方近傍には、図２のように、カートリッジ１３をいったん取り外し、再度装填したときに、カートリッジ１３の装填を検知する検知センサ１２ａ、１２ａ’が配置されている。また、ドラム１０とアキュームガイド部材１８の下方には、廃棄される感光紙不要部分を溜めておくことのできるトレイ状の廃棄部６１が配置されている。
【００１９】
また、搬送ローラ対４２の下流側近傍に配置された比較的幅狭の従動ローラ４３は記録紙の移動とともに従動回転し、この従動ローラ４３と同軸にロータリエンコーダＥ１（図４）が連結されている。このロータリエンコーダＥ１が従動ローラ４３とともに回転し回転量を測定することで搬送ローラ対４２を通過して回転ドラム１０に巻き付けられた感光紙の長さを求めることができる。また、下流側の搬送ローラ対３２は、ワンウェイクラッチ構造を有し、感光紙の下流側への送り出し方向への回転が自在となっている。
【００２０】
図２の搬送ローラ対４０，４１の下流側近傍には感光紙を切断するカッタ部１０ａがそれぞれ配置されており、各カッタ部１０ａはモータＭ１（図４）により回転駆動されるロータリカッタを有し、上述の感光紙の長さ測定に基づいて感光紙を所定長さに切断する。
【００２１】
また、剥離部材１５は、図２の実線のような剥離位置と、破線のような退避位置との間で回動するように剥離部材用モータＭ４（図４）で駆動される。また、アキュームガイド部材１８は、図２の実線のようなガイド位置と、破線のようなアキューム位置との間で回動するようにアキュームガイド部材用モータＭ５（図４）で駆動される。更に、搬送ローラ対３２は搬送ローラ用モータＭ６（図４）で駆動される。
【００２２】
図２の現像ユニット２１は、露光ユニット１１から送られた露光後の感光紙について湿式現像を行うもので、感光紙の現像処理を行う現像部２３と、定着処理を行う定着部２４と、安定処理を行う安定部２５と、乾燥処理を行う乾燥部２６と、乾燥された感光紙を搬送ローラ対２７ａ等で外部に排出する排出部２７と、を備える。
【００２３】
図３のように、画像記録装置１のドラム１０は、回転軸部１４’の回転軸１４ａ及び回転軸部１８ａの回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム駆動用パルスモータＭ２の出力プーリ３５ｂとベルト３６により連結され、ドラム駆動用パルスモータＭ２の駆動によりドラム１０が回転する。また、ドラム１０の回転軸１５ａには、ロータリーエンコーダ３７が設けられ、回転のためのパルス信号を出力してドラムの回転に同期した画素クロック制御に用いる。
【００２４】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて感光紙がドラム１０の表面に吸着される。
【００２５】
光学ユニット１６は、副走査部１７によりドラム軸と平行に移動可能に構成され、ドラム１０に吸着された感光紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１からドラム１０上の感光紙に画像を露光する。露光シャッタ３３２は露光ソレノイド３３３により開閉することで、露光開始／終了時に光路の開閉を行なう。
【００２６】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００２７】
光学ユニット１６は、移動ベルト３４０に固定され、一対のガイドレール３４１、３４２に案内されてドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ３の出力軸３４５に連結され、副走査モータＭ３の駆動により光学ユニット１６がドラム軸と平行に副走査方向Ｈ、その反対の方向Ｈ’に移動する。
【００２８】
また、図３のように、回転ドラム１０の外周面のドラム軸と平行の延長上位置にはフォトダイオード等の受光素子からなる測光部５７が配置されており、図３のホームポジションの位置の光学ユニット１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００２９】
図３に示すように、吸引ブロアＰ１は空気吸引ポンプにより吸引連結管５１を通してドラム１０内を吸引し、露光ユニット１１による露光開始前にドラム１０内を負圧にし感光紙を外周面に吸着する。
【００３０】
次に、図１乃至図３の画像記録装置の制御系について図４を参照して説明する。図４は図１〜図３の画像記録装置１の露光ユニット１１における画像データの流れ及び画像記録装置１の制御系のブロック図である。
【００３１】
図４に示すように、図１〜図３の画像記録装置１は、カラープルーフを作成するために外部の画像処理装置であるＲＩＰ(Raster Image Processor)４９でラスターデータから網点画像データを作成し、この網点画像データがＲＩＰ４９から露光ユニット１１に転送されるようになっている。
【００３２】
露光ユニット１１は、図４のように、外部のＲＩＰ４９からの網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からの網点画像データに基づいて感光紙に対する露光のための露光データを作成するルックアップテーブル５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３３】
図４の制御部５０は、中央演算処理装置（ＣＰＵ）等から構成され、検知センサ１２ａ、１２ａ’のカートリッジ装填信号やロータリエンコーダＥ１の測定信号が入力し、画像データＩ／Ｆ部５２、データバッファ５３、ルックアップテーブル５４、各種情報を表示・入力可能な表示入力部２，吸引ブロアＰ１，モータＭ１乃至Ｍ６及び他の装置部分を制御する。
【００３４】
図１乃至図４の画像記録装置の剥離部材及びアキュームガイド部材を制御し感光紙を搬送させる場合と感光紙の不要部分を廃棄する場合について図５を参照して説明する。図５は通常の露光後の感光紙を現像のために下流側に搬送する場合を示す図（ａ）及び感光紙の不要部分を廃棄部に廃棄させる場合を示す図（ｂ）である。
【００３５】
図５（ａ）のように、ドラム１０で網点画像データに基づいて通常の露光が行われた後の感光紙Ｓは、剥離部材１５がモータＭ４により剥離位置に回動しかつアキュームガイド部材１８がモータＭ５によりガイド位置に回動した状態で、剥離部材１５でドラム１０から剥離され、アキュームガイド部材１８でガイドされながらドラム１０と従動ローラ３１とにより搬送され、モータＭ６で駆動された搬送ローラ対３２により下流側に更に搬送される。
【００３６】
一方、カートリッジ１３を装填部１２，１２’に装填するとき等に外部光に露出され光被りを起こした先端部分等の不要部分Ｓ１がドラム１０に送られてきたときは、吸引ブロアＰ１は作動せずに不要部分Ｓ１がドラム１０に巻き付かず吸着されず、図５（ｂ）のように、剥離部材１５がモータＭ４により剥離位置に回動しかつアキュームガイド部材１８がモータＭ５によりアキューム位置に回動した状態で、ドラム１０と従動ローラ３１とにより搬送され、自重で廃棄部６１へと落下するようになっている。
【００３７】
次に、図１乃至図５の画像記録装置１における動作について図６のフローチャートを参照して説明する。
【００３８】
まず、外部のＲＩＰ４９から転送された網点画像データが入力すると（Ｓ０１）、制御部５０は給送部１４を駆動し装填部１２または１２’内のカートリッジ１３から感光紙を給送する（Ｓ０２）。このとき、カートリッジ１３が新たに装填されたものであるか否かを検知センサ１２ａ、１２ａ’からの検知信号で判断し（Ｓ０２）、カートリッジ１３を新たに装填した場合は、感光紙の搬送量をロータリエンコーダＥ１で測定し、感光紙の先端部Ｓ１（図５（ｂ））を所定長さにカッタ部１０ａで切断する（Ｓ０４）。
【００３９】
そして、吸引ブロアＰ１の作動を停止し（Ｓ０５）、所定長さの感光紙の先端部Ｓ１をドラム１０に吸着せず巻き付けずに、図５（ｂ）のように、剥離部材１５を剥離位置に移動しかつアキュームガイド部材１８をアキューム位置に移動させてから（Ｓ０６）、ドラム１０を回転させ従動ローラ３１との間で先端部Ｓ１を搬送することで自重で廃棄部６１へと落下させる（Ｓ０８）。
【００４０】
以上のようにして、感光紙を引き出した状態でカートリッジ１３を装填部１２，１２’に装填するとき、その先端部Ｓ１が露出し光被りを起こしても、カートリッジ１３を新たに装填した直後の搬送であることを検知し、先端部Ｓ１を自動的に廃棄することができる。しかも、この先端部Ｓ１の廃棄はドラム１０に巻き取らずに行うので、廃棄処理を迅速に行うことができる。
【００４１】
次に、先端部を切断した感光紙を更に引き出し光被りの影響のない部分を給送部１４で搬送しドラム１０へ給送し（Ｓ０９）、感光紙Ｓをドラムに吸着しドラムを回転させながら光学ユニット１６から光ビームを入力した画像データに基づいて露光することで画像記録を行う（Ｓ１０）。
【００４２】
次に、図５（ａ）のように、露光により感光した感光紙をドラム１０から剥離位置にある剥離部材１５で剥離し、アキュームガイド部材１８でガイドしながら搬送ローラ対３２等で出口１９へと搬送し（Ｓ１１）、接続部１９ａから現像ユニット２１へと送り、感光紙の現像処理を行ってから（Ｓ１２）、排出部２８へと排出する（Ｓ１３）。次の画像データが入力している場合は（Ｓ１４）、上記ステップＳ０２に戻る。
【００４３】
以上のようにして、図１乃至図６の画像記録装置によれば、カートリッジ１３の装置への装填時に感光紙において外部光の光被りにより生じた不要の先端部Ｓ１をドラム１０に巻き付けずに装置内部の廃棄部６１に廃棄処理を行うので、不要の先端部Ｓ１を迅速に廃棄処理でき、また、不要の先端部Ｓ１を吸着でドラム１０に巻き付ける動作が必要ないので、ジャムなどのエラー発生を防止でき安定な動作を実現できる。感光紙をドラム１０に巻き付けるとは、ドラム１０の外周の略一周分の感光紙をドラム１０に吸着しながら巻くことであるので、巻き付けには所定時間を要したが、本実施の形態では、不要の先端部Ｓ１をドラム１０に巻き付けることなく廃棄処理可能なので、余分な時間がかからずに迅速に廃棄処理ができるのである。
【００４４】
また、光被りを起こした感光紙をアキュームガイド部材１８の位置で廃棄処理でき、現像ユニット２１に送らずに済むので、現像後の大幅な画質の劣化がなく現像部２３等における現像液自体の劣化をも引き起こさない。
【００４５】
上述のように、本実施の形態では、カートリッジ１３の装填時に引き出される感光紙の先端部Ｓ１に光被りが生じている可能性が高いので、この先端部Ｓ１を不要部分として自動的に所定長さ分に切断してから装置内部の廃棄部６１に廃棄するようにしたが、例えば、感光紙に対する露光を中断等した場合の不要部分もドラム１０への巻き付けを中止してから同様にして装置内部の廃棄部６１に廃棄することができる。
【００４６】
更に、カートリッジ１３から感光紙の先端部Ｓ１が装置内で引き出されたままで比較的長時間未使用状態が継続した場合、上記Ｓ０４乃至Ｓ０８のステップを実行してから通常の露光を行うことで、感光紙の先端部Ｓ１がカートリッジ１３内部の感光紙と比較して外部光による光被りの影響が大きくとも、露光を行う感光紙に光被りの影響は起きない。
【００４７】
なお、上述の未使用継続時間の場合、装置に備えたタイマ等により所定時間以上未使用であることを制御部５０が検知することで上記Ｓ０４乃至Ｓ０８のステップを自動的に実行するようにできる。また、図１，図４の表示入力部２からユーザが入力した情報により同様に上記Ｓ０４乃至Ｓ０８のステップを実行させるようにしてもよい。
【００４８】
以上のように本発明を実施の形態により説明したが、本発明はこれらに限定されるものではなく、本発明の技術的思想の範囲内で各種の変形が可能である。例えば、本発明による画像記録装置はカラープルーフの作成以外にも適用できることは勿論である。
【図面の簡単な説明】
【００４９】
【図１】本実施の形態による画像記録装置全体の外観を示す斜視図である。
【図２】図１の画像記録装置の内部を正面側から見た図である。
【図３】図２の画像記録装置のドラム及び光学ユニットを上部から見た要部平面図である。
【図４】図１〜図３の画像記録装置１の露光ユニット１１における画像データの流れ及び画像記録装置１の制御系のブロック図である。
【図５】図１乃至図４の画像記録装置において通常の露光後の感光紙を現像のために下流側に搬送する場合を示す図（ａ）及び感光紙の不要部分を廃棄部に廃棄させる場合を示す図（ｂ）である。
【図６】図１乃至図５の画像記録装置１における動作を説明するためのフローチャートである。
【符号の説明】
【００５０】
１ 画像記録装置
２ 表示入力部
１０ ドラム
１０ａ カッタ部
１１ 露光ユニット
１２、１２’装填部
１２ａ，１２ａ’ 検知センサ
１３ カートリッジ
１４ 給送部
１５ 剥離部材
１６ 光学ユニット
１８ アキュームガイド部材
２１ 現像ユニット
３０ アキュームレート部
３２ 搬送ローラ対
５０ 制御部
６１ 廃棄部
Ｍ１〜Ｍ６ モータ
Ｐ１ 吸引ブロア
Ｅ１ ロータリエンコーダ
Ｓ  感光紙（銀塩感光材料）
Ｓ１ 先端部
【図１】
2005067833.tif 000003
【図２】
2005067833.tif 000004
【図３】
2005067833.tif 000005
【図４】
2005067833.tif 000006
【図５】
2005067833.tif 000007
【図６】
2005067833.tif 000008